(57)【要約】【課題】入力信号の劣化や歪みを低減させるためスイッチングダイオードを廃止しつつも、ＵＨＦ選択部への、ＶＨＦ選択部からの信号の跳ね返りによる影響を極力抑えることのできる電子チューナを提供する。【解決手段】入力されたＲＦ信号を後段回路に伝達する入力部を備えるとともに、ＲＦ信号の中から、ＵＨＦ帯域の所望周波数の信号を選択して後段に伝達するＵＨＦ選択部と；ＲＦ信号の中から、ＶＨＦ帯域の所望周波数の信号を選択して後段に伝達するＶＨＦ選択部と；が、入力部後段の分岐点から、それぞれ分岐して備えられ、ＲＦ信号の中から、ＵＨＦまたはＶＨＦ帯域における所望周波数の信号を選択して後段に伝達する電子チューナにおいて、ＵＨＦ選択部と分岐点との間に、ＶＨＦ帯域の信号の通過を妨げるフィルタ部を備えた電子チューナとする。【選択図】図１
2007142838.tif 000002
【特許請求の範囲】
【請求項１】
入力されたＲＦ信号を後段回路に伝達する入力部を備えるとともに、
上記ＲＦ信号の中から、ＵＨＦ帯域における所望周波数の信号を選択して後段に伝達するＵＨＦ選択部と；上記ＲＦ信号の中から、ＶＨＦ帯域における所望周波数の信号を選択して後段に伝達するＶＨＦ選択部と；が、上記入力部の後段の分岐点から、それぞれ分岐して備えられており、
上記ＲＦ信号の中から、ＵＨＦまたはＶＨＦ帯域における所望周波数の信号を選択して後段に伝達する電子チューナにおいて、
上記ＵＨＦ選択部と上記分岐点との間に、ＶＨＦ帯域の信号の通過を妨げるフィルタ部を備えたことを特徴とする電子チューナ。
【請求項２】
信号を複数の配線に分配する分配部を、上記ＶＨＦ選択部と上記分岐点との間に備えたことを特徴とする請求項１に記載の電子チューナ。
【請求項３】
上記分岐点と上記ＶＨＦ選択部との間に、
分配器の入力配線が接続されて、上記分岐点側から該分配器側に上記ＲＦ信号を伝達可能とするための出力端子と、
上記分配器の出力配線が接続されて、上記分配器側からＶＨＦ選択部側に上記ＲＦ信号を伝達可能とするための入力端子と、を備えたこと特徴とする請求項１に記載の電子チューナ。
【請求項４】
上記ＵＨＦ選択部またはＶＨＦ選択部の前段に、ダイオードまたは該ダイオードを導通させるためのバイアス手段を設けていないことを特徴とする請求項１から請求項３の何れかに記載の電子チューナ。
【請求項５】
請求項３に記載の電子チューナと、
ＲＦ信号を受信し、上記入力部に該信号を伝達するアンテナ部と、
上記出力端子から出力されたＲＦ信号を、上記入力端子を含む複数の配線に分配する分配器と、を備えたことを特徴とするＲＦ信号処理システム。
【発明の詳細な説明】
【技術分野】
【０００１】
本発明は、ＴＶ受信機等に使用される、電子チューナに関するものである。
【背景技術】
【０００２】
従来の電子チューナでは、信号受信範囲の拡大のため、受信範囲を２バンド以上に分けて受信しており、これに伴うバンド同士の干渉を避けるために、例えば特許文献１にも記載されているようにスイッチングダイオードが用いられていた。ここで従来の電子チューナについて、ＵＨＦ、ＶＨＦにおける比較的高周波である帯域（以下、「ＶＨＦ−ＨＩＧＨ」とする）、ＶＨＦにおける比較的低周波である帯域（以下、「ＶＨＦ−ＬＯＷ」とする）の３バンドに分けて受信する電子チューナを図６に例示し、その構成について簡潔に説明する。
【０００３】
図６の電子チューナ１０１は、各バンドの信号を処理する、ＵＨＦ処理部１２０Ｕ、ＶＨＦ−ＨＩＧＨ処理部１２０Ｈ、ＶＨＦ−ＬＯＷ処理部１２０Ｌが設けられており、何れも分配器１０３を介してアンテナ１０２に接続されている。なお以下、番号に付したＵ、Ｈ、Ｌは、各々ＵＨＦ、ＶＨＦ−ＨＩＧＨ、ＶＨＦ−ＬＯＷを表すものとする。
【０００４】
また各処理部１２０Ｕ〜１２０Ｌには、バンドを切替えるためのスイッチングダイオード２０１Ｕ〜２０１Ｌ、インピーダンス整合を行う入力整合コイル２０２Ｕ〜Ｌ、および、所望の周波数のみを選択する選択部１４０Ｕ〜１４０Ｌが設けられている。なお、スイッチングダイオード２０１Ｕ〜２０１Ｌの導通状態は、スイッチ電源２０２Ｕ〜２０２Ｌからバイアス手段２００へ電力を供給するか否かにより制御される。また選択部１４０Ｕ〜１４０Ｌは、周波数選択部１１２からの信号によって、所望の周波数に同調するようになっている。
【０００５】
各バンドのスイッチングダイオード２０１Ｕ〜２０１Ｌは、スイッチ電源２０３Ｕ〜２０３Ｌ、およびバイアス抵抗２００、２０４Ｕ〜２０４Ｌによって所定の電流が供給されて導通状態となる。例えばスイッチ電源２０３ＵがＯＮの場合、バイアス抵抗２００及び２０４Ｕによってスイッチングダイオード２０１Ｕが導通する。
【０００６】
そしてＵＨＦバンドのスイッチングダイオード２０１Ｕが導通状態の場合は、入力されたＲＦ信号の中から、ＵＨＦ選択部１４０Ｕによって所望周波数の信号が選択され、後段のアンプへ出力される。この場合、他のバンドに係るスイッチングダイオード２０１Ｈ、２０１Ｌは非導通となっている。そのため、ＶＨＦバンドの選択部１４０Ｈ、１４０Ｌ等からのＲＦ信号の跳ね返り（イメージトラップ）が、ＵＨＦ選択部１４０Ｕに影響を与えるのを抑えることができ、ひいては、この跳ね返りにより正規の入力信号が劣化するのを極力防止することが可能となる。なおＶＨＦ選択部１４０Ｈ、１４０Ｌは、ＶＨＦ帯域の信号を共振回路等により選択するため、ＶＨＦ選択部１４０Ｈ、１４０Ｌからの跳ね返りは、ＶＨＦ帯域におけるものが特に顕著である。
【特許文献１】特開平３−８０６１５号公報
【発明の開示】
【発明が解決しようとする課題】
【０００７】
上述したように従来技術では、各バンドの処理部１２０Ｕ〜１２０Ｌの前段にスイッチングダイオード２０１Ｕ〜２０１Ｌを設けることとしているが、このスイッチングダイオードは入力信号の劣化や歪みを生じさせる大きな要因ともなっている。特にスイッチングダイオードに流す電流が微小な場合に該ダイオードの非線形領域を主に使用することになり、かかる信号の歪みが大きくなるおそれがある。このような信号の歪みは、ケーブル放送発達に伴う多チャンネル化や送信信号レベルのアップ等による、電子チューナに影響するノイズ要因が増加している状況の下、ますます深刻化している。
【０００８】
従って電子チューナにおいて、信号の歪みを取り除くという観点からは、スイッチングダイオードを設置しないことが望ましいといえる。しかし上述したように、スイッチングダイオードはバンド同士の干渉を避けるために設置されていることから、単にスイッチングダイオードを取り除いたのでは各バンドの回路（処理部）が繋がってしまい、互いに信号の跳ね返りが影響を及ぼし合う結果、信号が劣化し易くなる。
【０００９】
特にＵＨＦ信号入力回路は、ＶＨＦ信号入力回路に比べて周波数の高い信号を処理することから、比較的劣化の少ないＲＦ信号の入力が要求される。そのためＵＨＦ処理部においては、スイッチングダイオードを廃止した場合に、ＶＨＦバンドからの跳ね返りによる影響を極力小さくする必要がある。
【００１０】
またＴＶセットにて２画面対応とする場合等では、複数の電子チューナを搭載するために分配器を設ける必要がある。ここで分配器とは、入力されたＲＦ信号を複数の配線に分配するものである。しかしこの分配器を設けることによる電力ロス等によって、後段には劣化したＲＦ信号が供給されることになる。特に、劣化の少ない入力信号が要求されるＵＨＦ処理部においては、分配器による信号の劣化は重大な問題となる。
【００１１】
そこで本発明は上記の問題点に鑑み、入力信号の劣化や歪みを低減させるためスイッチングダイオードを廃止しつつも、ＵＨＦ処理部への、ＶＨＦ処理部からの跳ね返りによる影響（アンテナ側からＵＨＦ処理部へ入力されるＲＦ信号の劣化など）を極力抑えることのできる電子チューナを提供することを目的とする。また分配器等を用いた場合であっても、ＵＨＦ処理部へ入力されるＲＦ信号の劣化を極力抑えることのできる電子チューナとすることを目的とする。
【課題を解決するための手段】
【００１２】
上記目的を達成するために、本発明に係る電子チューナは、入力されたＲＦ信号を後段回路に伝達する入力部を備えるとともに、上記ＲＦ信号の中から、ＵＨＦ帯域における所望周波数の信号を選択して後段に伝達するＵＨＦ選択部と；上記ＲＦ信号の中から、ＶＨＦ帯域における所望周波数の信号を選択して後段に伝達するＶＨＦ選択部と；が、上記入力部の後段の分岐点から、それぞれ分岐して備えられており、上記ＲＦ信号の中から、ＵＨＦまたはＶＨＦ帯域における所望周波数の信号を選択して後段に伝達する電子チューナにおいて、上記ＵＨＦ選択部と上記分岐点との間に、ＶＨＦ帯域の信号の通過を妨げるフィルタ部を備えた構成（第１の構成）とする。
【００１３】
本構成によれば、ＵＨＦ選択部と分岐点との間に、ＶＨＦ帯域の信号の通過を妨げるフィルタ部を備えているから、ＵＨＦ選択部とＶＨＦ選択部との間に該フィルタ部が介在することとなる。そのため、入力信号の歪み低減の観点からスイッチングダイオードの設置を廃止しつつも、ＵＨＦ信号入力回路へのＶＨＦバンドからの影響を極力小さく抑えることができる。なおスイッチングダイオードを廃止した場合、スイッチングダイオードにスイッチ電圧を供給するための電源やバイアス抵抗も不要となる。そこでこれらを排除することにより、ＲＦ信号の劣化や歪みの低下ならびに製品コストの削減を達成できる。
【００１４】
また同じく、ＵＨＦ選択部と分岐点との間にフィルタ部を備えているから、入力部とＶＨＦ選択部との間にはフィルタ部は介在していない。そのため、受信すべきＶＨＦ帯域の信号が、入力部からＶＨＦ選択部に伝達されることは、フィルタ部によって妨げられることがない。
【００１５】
また上記第１の構成において、信号を複数の配線に分配する分配部を、上記ＶＨＦ選択部と上記分岐点との間に備えた構成（第２の構成）とすれば、入力されたＲＦ信号を分配部によって複数の配線に分配することができる。そして更に、ＵＨＦ選択部には、入力部からのＲＦ信号が分配部を介さずに供給されるため、ＵＨＦ選択部における分配器での電力ロスの影響を極力小さくできる。そのため、複数配線への分配を可能としつつも、できるだけ劣化していないＲＦ信号をＵＨＦ入力部に供給することができる。
【００１６】
また上記第１の構成において、上記分岐点と上記ＶＨＦ選択部との間に、分配器の入力配線が接続されて、上記分岐点側から該分配器側に上記ＲＦ信号を伝達可能とするための出力端子と、上記分配器の出力配線が接続されて、上記分配器側からＶＨＦ選択部側に上記ＲＦ信号を伝達可能とするための入力端子と、を備えた構成（第３の構成）としても良い。
【００１７】
本構成によれば、入力されたＲＦ信号を分配器によって複数の配線に分配することができる。そして更に、ＵＨＦ選択部には、入力部からのＲＦ信号が分配器を介さずに供給されるため、ＵＨＦ選択部における分配器での電力ロスの影響を極力小さくできる。そのため、複数配線への分配を可能としつつも、できるだけ劣化していないＲＦ信号をＵＨＦ入力部に供給することができる。また電子チューナ自体は分配器に接続するための端子を備えるだけであるから、該端子に接続可能であれば任意の分配器を活用でき、さらに電子チューナ自体の製品コストを極力抑えることができる。
【００１８】
また上記第１から第３の何れかの構成において、上記ＵＨＦ選択部またはＶＨＦ選択部の前段に、ダイオードまたは該ダイオードを導通させるためのバイアス手段を設けていない構成（第４の構成）としても良い。このようにダイオードまたはバイアス手段を設けないことにより、従来のもの（スイッチングダイオードとバイアス手段を設けているもの）に比べて、各選択部に供給されるＲＦ信号の歪みや劣化を小さくできると共に、製品コストを低く抑えることが可能となる。
【００１９】
また上記第３の構成の電子チューナと、ＲＦ信号を受信し、上記入力部に該信号を伝達するアンテナ部と、上記出力端子から出力されたＲＦ信号を、上記入力端子を含む複数の配線に分配する分配器と、を備えた構成（第５の構成）によるＲＦ信号処理システムであれば、上記第４の構成に係る電子チューナの利点を享受しつつ、放送されるＲＦ信号から、ＵＨＦ帯域もしくはＶＨＦ帯域における所望周波数の信号を得ることが可能である。
【発明の効果】
【００２０】
上記したように、本発明に係る電子チューナであれば、ＵＨＦ選択部と分岐点との間に、ＶＨＦ帯域の信号の通過を妨げるフィルタ部を備えているから、ＵＨＦ選択部とＶＨＦ選択部との間に該フィルタ部が介在することとなる。そのため、入力信号の歪み低減の観点からスイッチングダイオードの設置を廃止しつつも、ＵＨＦ信号入力回路へのＶＨＦバンドからの影響を極力小さく抑えることができる。なおスイッチングダイオードを廃止した場合、スイッチングダイオードにスイッチ電圧を供給するための電源やバイアス抵抗も不要となる。そこでこれらを排除することにより、ＲＦ信号の劣化や歪みの低下ならびに製品コストの削減を達成できる。
【００２１】
また同じく、ＵＨＦ選択部と分岐点との間にフィルタ部を備えているから、入力部とＶＨＦ選択部との間にはフィルタ部は介在していない。そのため、受信すべきＶＨＦ帯域の信号が、入力部からＶＨＦ選択部に伝達されることは、フィルタ部によって妨げられることがない。
【発明を実施するための最良の形態】
【００２２】
［第１実施例］
本発明の第１実施例として、図１に示す構成の電子チューナを挙げて以下に説明する。本図に示すように、電子チューナ１は、入力端子１０、ＵＨＦ入力部２０Ｕ、ＶＨＦ−ＨＩＧＨ入力部２０Ｈ、ＶＨＦ−ＬＯＷ入力部２０Ｌ、フィルタ３０、周波数選択部１２等から構成されている。
【００２３】
入力部１０は、アンテナ２からＲＦ信号を受けて、後段の回路に伝達する。入力部１０が受けた信号は、配線を伝って各バンドの処理部２０Ｕ〜２０Ｌに伝達されることになる。なお入力端子１０は、アンテナ２に直接接続されても良く、入力信号を複数の配線に分配するための分配器３を介して接続されても良い。
【００２４】
ＵＨＦ処理部２０Ｕは、前段から順に、入力波の直流分を阻止するコンデンサ２１Ｕ、インピーダンス整合を行う入力整合コイル２２Ｕ、ＵＨＦ選択部４０Ｕ等から構成される。
【００２５】
ここでＵＨＦ選択部４０Ｕの構成を図２に基づいて説明する。本図のように、ＵＨＦ帯域で同調をとるためのコイル４１ａ、４１ｂ及びコンデンサ４３を有するとともに、バリキャップダイオード４４を有している。バリキャップダイオード４４は、カソード側に周波数選択部１２から所定の電圧（選択電圧）が加えられることで容量が可変となる。そのためＵＨＦ選択部４０Ｕは、周波数選択部１２により定められた周波数特性（共振周波数など）を有し、所定周波数の信号のみを後段に伝達する。
【００２６】
なお上述の通り、ＵＨＦ選択部４０ＵではＵＨＦ帯域のみを選択するように周波数特性が調整されているから、ＵＨＦ選択部４０Ｕに侵入したＶＨＦ帯域の信号は減衰することとなる。しかしＶＨＦ選択部４０Ｈ、４０ＬからのＶＨＦ帯域の跳ね返りが多量に侵入することになると、ＵＨＦ選択部４０Ｕを通過して後段に伝わってしまうＶＨＦ帯域のノイズが増加し、不具合が生じることになる。そのため後述するように、ＵＨＦ選択部の前段には、フィルタ３０を設けることが望ましいといえる。
【００２７】
以上の構成によりＵＨＦ処理部２０Ｕは、アンテナ２で受信した信号の中からＵＨＦ帯域における所望周波数の信号を選択し、後段のＲＦアンプへ伝達する役割を果たす。
【００２８】
またＵＨＦ処理部２０Ｕのすぐ前段には、フィルタ３０が設けられている。フィルタ３０の構成を図３に基づいて説明する。本図のように前段（入力端子１０及びＶＨＦ処理部２０Ｈ、２０Ｌの側）と、後段（ＵＨＦ処理部２０Ｕの側）との間は、小容量（１〜４ｐＦ程度）のチップコンデンサ３１が接続されて向かい合っている結合コイル３２が介在している。
【００２９】
コンデンサ３１と結合コイル３２は共振回路を形成し、フィルタ３０の前段側から後段側への信号伝達について、ＵＨＦ帯域の信号の通過を極力妨げず、ＶＨＦ帯域の信号の通過を極力妨げるように、その特性（共振周波数など）が調整されている。フィルタ３０は、特にＶＨＦ処理部２０Ｈ、２０Ｌからの信号の跳ね返りがＵＨＦ処理部２０Ｕへ侵入し影響を与えることを防ぐ点で重要な役割を果たす。なお、フィルタ３０の構成は上記したものに限らず、同等の機能を有していれば他の構成としても良い。
【００３０】
ＶＨＦ−ＨＩＧＨ処理部２０Ｈは、前段から、入力波の直流分を阻止するコンデンサ２１Ｈ、ＶＨＦ−ＨＩＧＨ選択部４０Ｈ等から構成される。なおＶＨＦ−ＨＩＧＨ選択部４０Ｈの構成については、原理的にはＵＨＦ選択部４０Ｕと同様であるが、ＶＨＦ−ＨＩＧＨ帯域での所望周波数の信号が選択されるように周波数特性が設定されている。以上の構成によりＶＨＦ−ＨＩＧＨ処理部２０Ｈは、アンテナ２で受信した信号の中から、ＶＨＦ帯域の中でも比較的高い周波数における所定周波数の信号を選択して後段のＲＦアンプへ伝達する。
【００３１】
またＶＨＦ−ＬＯＷ処理部２０Ｌは、前段から、入力波の直流分を阻止するコンデンサ２１Ｌ、ＶＨＦ−ＬＯＷ選択部４０Ｌ等から構成される。なおＶＨＦ−ＬＯＷ選択部４０Ｌの構成については、原理的にはＵＨＦ選択部４０Ｕと同様であるが、ＶＨＦ−ＬＯＷ帯域での所望周波数の信号が選択されるように周波数特性が設定されている。以上の構成によりＶＨＦ−ＬＯＷ処理部２０Ｌは、アンテナ２で受信した信号の中から、ＶＨＦ帯域の中でも比較的低い周波数における所定周波数の信号を選択して後段のＲＦアンプへ伝達する。
【００３２】
周波数選択部１２は、後段のアンプに取り込むべき信号の周波数を選択するため、各選択部４０Ｕ、４０Ｈ、４０Ｌのバリキャップダイオードへ電圧（tuning voltage）を供給する。これによりバリキャップダイオードの同調容量を変化させて、各選択部４０Ｕ、４０Ｈ、４０Ｌの同調周波数を変化させる。
【００３３】
上述した構成により本実施例の電子チューナ１は、アンテナ２で受信したＲＦ信号について、３バンドの何れかの処理部によって所望の周波数の信号を選択し、後段（アンプ等）に伝達することができる。さらに本実施例では、図６の従来技術に設けられていたスイッチングダイオード２０１Ｕ〜２０１Ｌに相当するものが設置されていないから、かかる従来技術に比べて、入力信号の劣化や歪みが小さく抑えられる。
【００３４】
また通常、スイッチングダイオードを設置しない場合は各バンドの処理部が繋がり、互いの跳ね返り信号が影響を及ぼしあうことが懸念される。しかし本実施例では、ＵＨＦ選択部４０Ｕと、入力部１０からＵＨＦ処理部２０ＵとＶＨＦ処理部２０Ｈ、２０Ｌに分岐する分岐点（フィルタ３０内の前段の部分に相当）との間に、フィルタ３０を備えている。従って、ＵＨＦ選択部４０ＵとＶＨＦ選択部４０Ｈ、４０Ｌとの間にフィルタが介在することとなる。そのため、入力信号の歪み低減の観点からスイッチングダイオードの設置を廃止しつつも、ＵＨＦ選択部４０ＵへのＶＨＦバンドからの影響を極力小さく抑えることができる。
【００３５】
すなわち、ＶＨＦ−ＨＩＧＨ処理部２０ＨおよびＶＨＦ−ＬＯＷ処理部２０Ｌにおいては、その同調特性によって主にＶＨＦ帯域の信号の跳ね返りが生じるが、この跳ね返りはＵＨＦ処理部２０Ｕ（特にＵＨＦ選択部４０Ｕ）に影響を与える前にフィルタ３０で殆どが除去される。
【００３６】
また同じく、ＵＨＦ選択部と分岐点との間にフィルタ部を備えているから、入力部１０とＶＨＦ選択部４０Ｈ、４０Ｌとの間にはフィルタ３０は介在していない。そのため、受信すべきＶＨＦ帯域の信号が、入力部１０からＶＨＦ選択部４０Ｈ、４０Ｌに伝達されることは、フィルタ３０によって妨げられることがない。
【００３７】
［第２実施例］
次に本発明の第２実施例として、図４に示す構成の電子チューナを挙げて以下に説明する。なお本実施例では、フィルタ部３０、各バンドの処理部２０Ｕ〜２０Ｌ、および周波数選択部１２の構成内容は第１実施例と同様であるため、その詳細な説明は省略する。
【００３８】
本実施例の電子チューナ１では、入力信号を複数の信号経路に分配する分配部１３が、入力部１０およびフィルタ３０の後段であって、ＶＨＦバンドに係る処理部２０Ｈ、２０Ｌの前段となる位置に備えられている。この分配部１３により分配されるＲＦ信号は、ＶＨＦ帯域の処理部２０Ｈ、２０Ｌへ伝達される他、分配用端子１４を通じて、他のチューナ等へ供給される。
【００３９】
またＵＨＦ処理部２０Ｕは、分配部１３よりも前段で分岐されて、入力端子１０に接続されている。そのため分配部１３によりＲＦ信号が複数の伝達経路に分配される場合であっても、ＵＨＦ処理部２０Ｕには、分配前の段階におけるＲＦ信号が流入する。その結果、劣化の少ない入力信号が要求されるＵＨＦ処理部２０Ｕに、分配部１３での電力ロス等により劣化した信号が入力されることを回避することができる。
【００４０】
さらに実施例１の場合と同様、ＶＨＦ処理部２０Ｈ、２０ＬとＵＨＦ処理部２０Ｕとの間である位置にフィルタ３０が設けられている。そのため、ＶＨＦ−ＨＩＧＨ処理部２０ＨおよびＶＨＦ−ＬＯＷ処理部２０Ｌにおいては、その同調特性によって主にＶＨＦ帯域の信号の跳ね返りが生じるが、この跳ね返りはＵＨＦ処理部２０Ｕに影響を与える前にフィルタ３０で除去される。
【００４１】
なお、仮にＶＨＦ処理部２０Ｈ、２０Ｌをも、分配部１３の前段で分岐させて接続すると、分配部１３に伝達されるＲＦ信号が大きく劣化してしまうおそれがある。その結果、分配部１３から他のチューナ等伝達されるＲＦ信号の劣化が著しくなるという問題がある。
【００４２】
しかし本実施例では、分配部１３を、ＶＨＦ選択部４０Ｈ、４０Ｌと、入力部１０からＵＨＦ処理部２０ＵとＶＨＦ処理部２０Ｈ、２０Ｌに分岐する分岐点（フィルタ３０内の前段の部分に相当）との間に備えている。そのため、ＵＨＦ処理部２０Ｕには分配部による劣化を極力抑えたＲＦ信号を供給しつつも、ＶＨＦ処理部２０Ｈ、２０Ｌをも分配部１３の前段部に備えた場合に比べて、分配用端子１４から他のチューナ等に供給される信号の劣化も比較的小さく抑えられる。
【００４３】
［第３実施例］
次に本発明の第３実施例として、図５に示す構成の電子チューナを挙げて以下に説明する。なお本実施例は、フィルタ部３０、各バンドの処理部２０Ｕ〜２０Ｌ、および周波数選択部１２の構成内容は第１実施例と同様であるため、その詳細な説明は省略する。
【００４４】
本実施例の電子チューナ１では、先述した実施例に対し、分岐部１５、ＲＦ信号出力端子１６、ＲＦ信号入力端子１７が新たに設けられている。
【００４５】
分岐部１５は、アンテナ２からＲＦ信号を受け取る入力部１０の後段に設けられており、該信号を２通りの配線に分岐させる。ここで分岐された信号のうち、一方は、フィルタ３０を介してＵＨＦ処理部２０Ｕに伝達され、他方は、ＲＦ信号出力端子へと伝達される。
【００４６】
ＲＦ信号出力端子は、外付けされる分配器３の入力側の配線（入力配線）と接続できるようになっている。これにより、ＲＦ信号分岐部１５で分岐された信号の一方は、ＲＦ信号出力端子を介して分配器３へと供給される。
【００４７】
ＲＦ信号入力端子は、分配器３の出力側の配線（出力配線）と接続できるようになっている。これにより、分配器３に供給された信号の一部は、ＲＦ信号入力端子を介して、再び電子チューナ内部に取り込まれる。またＲＦ信号入力端子の後段にはＶＨＦ−ＨＩＧＨ処理部２０Ｈ、ＶＨＦ−ＬＯＷ処理部２０Ｌが接続されており、取り込まれた信号は、これらに供給されることとなる。
【００４８】
以上に説明した構成により、本電子チューナ１には、ＲＦ信号入力端子とＲＦ信号出力端子との間に、任意の分配器３を取り付けることが可能である。そのため入力部１０で受け取ったＲＦ信号を、該分配器３により、他のチューナ装置等にも分配することが可能となる。
【００４９】
またこれに加え、ＵＨＦ処理部２０Ｕは、分配器３の前段に設けられている。そのため、入力部１０で受け取られたＲＦ信号は、ＵＨＦ処理部２０Ｕに分配器３を介さず入力されることになる。これによりＵＨＦ処理部２０Ｕは、分配器３における電力ロスの影響を受けず、劣化の少ないＲＦ信号を入力することが可能となる。なおＵＨＦ処理部２０ＵにはＲＦ信号分岐部１５で信号が分岐される分の劣化は生じるが、複数のチューナ装置等にも信号を分配する分配器３の後段に設置する場合に比べると、劣化の少ないＲＦ信号が入力されることになる。すなわち本実施例によれば、入力部１０で受け取ったＲＦ信号を、極力劣化させずにＵＨＦ処理部２０Ｕへ供給するとともに、ＶＨＦ処理部２０Ｈ、２０Ｌおよび他のチューナ装置へも供給することができる。
【００５０】
さらに実施例１の場合と同様、ＶＨＦ処理部２０Ｈ、２０ＬとＵＨＦ処理部２０Ｕとの間である位置（ＲＦ信号出力端子とＲＦ信号入力端子が、分配器により繋がっているとした場合）にフィルタ３０が設けられている。そのため、ＶＨＦ−ＨＩＧＨ処理部２０ＨおよびＶＨＦ−ＬＯＷ処理部２０Ｌにおいては、その同調特性によって主にＶＨＦ帯域の信号の跳ね返りが生じるが、この跳ね返りはＵＨＦ処理部２０Ｕに影響を与える前にフィルタ３０で除去される。
【００５１】
また本実施例の電子チューナ１は、基本的に、ＲＦ信号を受信して入力部１０に該ＲＦ信号を伝達するアンテナ部と、ＲＦ信号出力部とＲＦ信号入力部との間に取り付けるべき分配器の存在により、本来の機能を発揮させることができる。つまり、本電子チューナ１、アンテナ部、および分配器を備えたＲＦ信号処理システムとすることが望ましい。
【００５２】
以上の通り実施例１から実施例３までを挙げて説明を行ったが、何れの実施例においても、図６に示した従来技術のものに対し、スイッチ電源２０３Ｕ〜２０３Ｌ、バイアス抵抗２００、２０４Ｕ〜２０４Ｌの配置を省略している。これらの省略は、スイッチングダイオードを廃止したことで不要となったことに伴うものである。これにより図６の従来技術に比べて入力信号の劣化や歪みの要因をさらに削減でき、また製品コストの面においても有利となっている。
【００５３】
また同様に、従来技術のものには備えられていたＶＨＦバンドの入力整合コイル２０２Ｈ、２０２Ｌを省略したことで、ＶＨＦ処理部のイメージトラップの跳ね返りがＵＨＦ帯域より上側に逃げることになる。かかる入力整合コイルを廃止したことによりＶＨＦ処理部の設計がやや困難になるが、ＵＨＦ選択部に対するＶＨＦ処理部からの跳ね返りの影響を軽減する点においては有利となっている。
【００５４】
また、本発明の構成は、上記実施形態のほか、発明の主旨を逸脱しない範囲で種々の変更を加えることが可能である。
【図面の簡単な説明】
【００５５】
【図１】本発明の第１実施例に係る電子チューナの構成図である。
【図２】本発明の実施例における、選択部の構成図である。
【図３】本発明の実施例における、フィルタの構成図である。
【図４】本発明の第２実施例に係る電子チューナの構成図である。
【図５】本発明の第３実施例に係る電子チューナの構成図である。
【図６】従来技術に係る電子チューナの構成図である。
【符号の説明】
【００５６】
１、１０１            電子チューナ
２、１０２            アンテナ
３、１０３            分配器
１０                    入力端子（入力部）
１２                    周波数選択部
１３                    分配部
１４                    分配用端子
１５                    分岐部
１６                    ＲＦ信号出力端子（出力端子）
１７                    ＲＦ信号入力端子（入力端子）
２０Ｕ、１２０Ｕ          ＵＨＦ処理部
２０Ｈ、１２０Ｈ          ＶＨＦ−ＨＩＧＨ処理部
２０Ｌ、１２０Ｌ          ＵＨＦ−ＬＯＷ処理部
２１Ｕ、２１Ｈ、２１Ｌ    コンデンサ
２２Ｕ、                  入力整合コイル
３０                      フィルタ（フィルタ部）
３１                      チップコンデンサ
３２                      結合コイル
４０Ｕ、１４０Ｕ          ＵＨＦ選択部
４０Ｈ、１４０Ｈ          ＶＨＦ−ＨＩＧＨ選択部
４０Ｌ、１４０Ｌ          ＵＨＦ−ＬＯＷ選択部
４１ａ、４１ｂ            同調用コイル
４３                      同調用コンデンサ
４４                      バリキャップダイオード
２００、２０４Ｕ、２０４Ｈ、２０４Ｌ    バイアス抵抗
２０１Ｕ、２０１Ｈ、２０１Ｌ            スイッチングダイオード
２０２Ｕ、２０２Ｈ、２０２Ｌ            入力整合コイル
２０３Ｕ、２０３Ｈ、２０３Ｌ            スイッチ電源
【図１】
2007142838.tif 000003
【図２】
2007142838.tif 000004
【図３】
2007142838.tif 000005
【図４】
2007142838.tif 000006
【図５】
2007142838.tif 000007
【図６】
2007142838.tif 000008